【手続補正書】
【提出日】平成25年8月2日(2013.8.2)
【手続補正１】
【補正対象書類名】特許請求の範囲
【補正対象項目名】全文
【補正方法】変更
【補正の内容】
【特許請求の範囲】
【請求項１】
荷物の輸送を管理するための物流管理システムであって、購入者、企業、または団体側に設置される発注端末と、前記荷物の物流状態を監視する物流管理サーバとを含み、
前記物流管理サーバは、
ネットワークを介して荷物を輸送している運搬車両の最新の位置情報および日時情報を取得して、運行ログとして動態データベースに登録する動態管理部と、
前記ネットワークを介して前記発注端末から受領した配送状況要求に応答して、前記動態管理部が取得した前記位置情報および日時情報を使用して前記運搬車両の最新の位置を表示するための地図情報を取得し、前記運搬車両の図形オブジェクトを割り当てて、少なくとも前記図形オブジェクトを前記地図情報上に表示させた応答として、前記発注端末に送付する発注管理部と
を含む、物流管理システム。
【請求項２】
前記発注管理部は、
前記動態管理部が登録した前記配送状況要求で指定された荷物について前記運行ログを検索するための運行ログ検索部と、
前記納品先および検索された運行ログで指定される前記運搬車両の最新の位置を参照して両方を表示できる縮尺の地図情報を取得する地図情報取得部と、
前記取得した地図情報に対して前記それぞれ異なる図形オブジェクトを合成し、前記運行ログにおける履歴および前記最新の位置を使用して納品予定時刻を計算し、現在配送中の前記運搬車両の集配リストに前記納品予定時刻として前記発注端末が参照可能に追加して配送状況テーブルを作成し、前記地図情報および前記配送状況テーブルをそれぞれ表示するための領域を割り当てて前記発注端末に対して配送状況要求の応答を作成するマッシュアップ処理部と
を含む、請求項１に記載の物流管理システム。
【請求項３】
前記動態管理部は、前記運搬車両が搭載するモバイル端末からの定期的な前記位置情報および日時情報のアップロードを受け付けるFTPサーバまたはWebサーバとして構成され、
前記発注管理部および前記運行管理部は、前記ネットワークを介してブラウザ手段を介した配送状況の提供および運行計画の作成支援を行うWebサーバとして構成される、請求項１または２に記載の物流管理システム。
【請求項４】
前記物流管理サーバは、ネットワークを介して前記発注端末からの荷物の配送依頼を受領し、当該荷物を運搬するための運搬車両および人員を含む資源を割り当てて運行計画の作成を支援し、作成した運行計画を運行計画データとして運行データベースに登録する運行管理部を含み、前記運行管理部は、
新たに集配するべき荷物の情報を登録した集配データを受領して格納する集配リスト作成情報格納部と、
前記集配リスト作成情報格納部に蓄積された情報を取得し、所定の運搬車両が業務時間内に配送するべき集配データをリストした集配リストを作成する集配リスト作成部と、
前記作成した集配リストを、業務開始時または前記業務開始時には存在していない新たな集配データを前記モバイル端末にダウンロードさせる集配リスト配付部と
を含む、請求項３に記載の物流管理システム。
【請求項５】
荷物の輸送を管理するため、前記荷物の物流状態を監視する物流管理サーバであって、
前記物流管理サーバは、
ネットワークを介して荷物を輸送している運搬車両の最新の位置情報および日時情報を取得して、運行ログとして動態データベースに登録する動態管理部と、
前記ネットワークを介して購入者、企業、または団体側に設置される発注端末からの配送状況要求の受領に応答して、前記動態管理部が取得した前記位置情報および日時情報を使用して前記運搬車両の最新の位置を表示するための地図情報を取得し、前記運搬車両の図形オブジェクトを割り当てて、少なくとも前記図形オブジェクトを前記地図情報上に表示させた応答として、前記発注端末に送付する発注管理部と
を含む、物流管理サーバ。
【請求項６】
前記発注管理部は、
前記動態管理部が登録した前記配送状況要求で指定された荷物について前記運行ログを検索するための運行ログ検索部と、
前記納品先および検索された運行ログで指定される前記運搬車両の最新の位置を参照して両方を表示できる縮尺の地図情報を取得する地図情報取得部と、
前記取得した地図情報に対して前記それぞれ異なる図形オブジェクトを合成し、前記運行ログにおける履歴および前記最新の位置を使用して納品予定時刻を計算し、現在配送中の前記運搬車両の集配リストに前記納品予定時刻として前記発注端末が参照可能に追加して配送状況テーブルを作成し、前記地図情報および前記配送状況テーブルをそれぞれ表示するための領域を割り当てて前記発注端末に対して配送状況要求の応答を作成するマッシュアップ処理部と
を含む、請求項５に記載の物流管理サーバ。
【請求項７】
前記動態管理部は、前記運搬車両が搭載するモバイル端末からの定期的な前記位置情報および日時情報のアップロードを受け付けるFTPサーバまたはWebサーバとして構成され、
前記発注管理部および前記運行管理部は、前記ネットワークを介してブラウザ手段を介した配送状況の提供および運行計画の作成支援を行うWebサーバとして構成される、請求項５または６に記載の物流管理サーバ。
【請求項８】
前記物流管理サーバは、ネットワークを介して前記発注端末からの荷物の配送依頼を受領し、当該荷物を運搬するための運搬車両および人員を含む資源を割り当てて運行計画の作成を支援し、作成した運行計画を運行計画データとして運行データベースに登録する運行管理部を含み、前記運行管理部は、
新たに集配するべき荷物の情報を登録した集配データを受領して格納する集配リスト作成情報格納部と、
前記集配リスト作成情報格納部に蓄積された情報を取得し、所定の運搬車両が業務時間内に配送するべき集配データをリストした集配リストを作成する集配リスト作成部と、
前記作成した集配リストを、業務開始時または前記業務開始時には存在していない新たな集配データを前記モバイル端末にダウンロードさせる集配リスト配付部と
を含む、請求項７に記載の物流管理サーバ。
【請求項９】
荷物の輸送を管理するための物流管理システムが含む物流管理サーバが実行する物流管理方法であって、前記物流管理サーバが、
ネットワークを介して購入者、企業、または団体側に設置される発注端末からの荷物の配送状況要求を受領するステップと、
前記ネットワークを介して荷物を輸送している運搬車両の最新の位置情報および日時情報を取得して、運行ログとして動態データベースに登録するステップと、
前記配送状況要求の受領に応答して、取得した前記位置情報および日時情報を使用して、前記運搬車両の最新の位置を表示するための地図情報を取得するステップと、
前記運搬車両に対して図形オブジェクトを割り当てて、少なくとも前記図形オブジェクトを前記地図情報上に表示させた応答として、前記発注端末に送付するステップと
を実行する、物流管理方法。
【請求項１０】
コンピュータを、荷物の物流状態を監視する物流管理サーバとして機能させるためのコンピュータ実行可能なプログラムであって、前記プログラムは、前記物流管理サーバを、
ネットワークを介して荷物を輸送している運搬車両の最新の位置情報および日時情報を取得して、運行ログとして動態データベースに登録する動態管理部、
購入者、企業、または団体側に設置される発注端末からネットワークを介して配送状況要求を受領したことに応答して、前記動態管理部が取得した前記位置情報および日時情報を使用して前記運搬車両の最新の位置を表示するための地図情報を取得し、前記運搬車両の図形オブジェクトを割り当てて、少なくとも前記図形オブジェクトを前記地図情報上に表示させた応答として、前記発注端末に送付する発注管理部
として機能させる、コンピュータ実行可能なプログラム。
【手続補正２】
【補正対象書類名】明細書
【補正対象項目名】００１４
【補正方法】変更
【補正の内容】
【００１４】
本発明では、荷物の輸送を管理するための物流管理システムであって、購入者、企業、または団体側に設置される発注端末と、前記荷物の物流状態を監視する物流管理サーバとを含み、
前記物流管理サーバは、
前記ネットワークを介して荷物を輸送している運搬車両の最新の位置情報および日時情報を取得して、運行ログとして動態データベースに登録する動態管理部と、
前記ネットワークを介して前記発注端末から受領した配送状況要求に応答して、前記動態管理部が取得した前記位置情報および日時情報を使用して前記運搬車両の最新の位置を表示するための地図情報を取得し、前記運搬車両の図形オブジェクトを割り当てて、少なくとも前記図形オブジェクトを前記地図情報上に表示させた応答として、前記発注端末に送付する発注管理部と
を含む、物流管理システムが提供される。
【手続補正３】
【補正対象書類名】明細書
【補正対象項目名】００１７
【補正方法】変更
【補正の内容】
【００１７】
本発明では、前記物流管理サーバは、ネットワークを介して前記発注端末からの荷物の配送依頼を受領し、当該荷物を運搬するための運搬車両および人員を含む資源を割り当てて運行計画の作成を支援し、作成した運行計画を運行計画データとして運行データベースに登録する運行管理部を含み、前記運行管理部は、
新たに集配するべき荷物の情報を登録した集配データを受領して格納する集配リスト作成情報格納部と、
前記集配リスト作成情報格納部に蓄積された情報を取得し、所定の運搬車両が業務時間内に配送するべき集配データをリストした集配リストを作成する集配リスト作成部と、
前記作成した集配リストを、業務開始時または前記業務開始時には存在していない新たな集配データを前記モバイル端末にダウンロードさせる集配リスト配付部と
を含むことができる。